(57)【要約】  本発明は、触覚的な制御によって選択されたデータ・エレメントを端末（１０）に転送する方法、システム、および装置に関する。それに関連付けられた参照値とデータ・エレメントは、参照テーブルに格納される。ユーザの身体の部分に固定された少なくとも１つの加速度センサ（３１）は、ユーザの身体の動きに応じて変化し得る加速度の値および／または振動の値を検知する。比較モジュールは加速度の値および／または振動の値を参照値と比較し、参照値に関連付けられた少なくとも１つのデータ・エレメントを選択する。送信モジュールは、少なくとも１つの選択されたデータ・エレメントを端末（１０）に送信する。
2008501169.tif 000002
【特許請求の範囲】
【請求項１】
選択されたデータ・エレメントを端末（１０）に送信するための身体制御による方法であって、
参照値および割り当てられたデータ・エレメントが参照テーブルに格納され、
ユーザの身体の部分に取付け可能な少なくとも１つの加速度センサ（３１）によって前記ユーザの身体の動きに応じて変化し得る加速度の値および／または振動の値がキャプチャされ、
比較モジュールによって加速度の値および／または振動の値が参照値と比較され、参照値に割り当てられた少なくとも１つのデータ・エレメントが選択され、さらに
送信モジュールによって前記選択された少なくとも１つのデータ・エレメントが前記端末（１０）に送信される方法。
【請求項２】
ピクチャの参照値が前記参照テーブルに格納され、少なくとも１つの参照値および対応するデータ・エレメントがピクチャの参照値に割り当てられ、
表示装置によって前記ユーザに対してピクチャ・データが表示され、視野方向モジュールによって決定される前記ユーザの前記視野方向に対応する前記表示されたピクチャ・データからピクチャ・データ・カットアウトが表示され、さらに
前記比較モジュールによって前記ピクチャ・データ・カットアウトがピクチャの参照値と比較され、この比較に基づいてデータ・エレメントが選択される請求項１に記載の方法。
【請求項３】
参照値および割り当てられたデータ・エレメントのシーケンスは前記参照テーブルに格納され、シーケンス・モジュールによってキャプチャされた加速度の値および／または振動の値は加速度の値および／または振動の値のシーケンスとして処理され、さらに前記比較モジュールによって加速度の値および／または振動の値のシーケンスは前記参照テーブルの参照値のシーケンスと比較され、参照値のシーケンスに割り当てられた少なくとも１つのデータ・エレメントが選択される請求項１乃至２のいずれか１項に記載の方法。
【請求項４】
データ・エレメントの前記端末への送信は、信号装置によって前記ユーザに信号で通知される請求項１乃至３のいずれか１項に記載の方法。
【請求項５】
身体の動きのポイント達成は、フィードバック装置によって前記ユーザに信号で通知される請求項１乃至４のいずれか１項に記載の方法。
【請求項６】
位置の参照値および割り当てられたデータ・エレメントが前記参照テーブルに格納され、位置モジュールによって前記ユーザの身体の位置のデータがキャプチャされ、さらに前記比較モジュールによって位置の参照値と身体の位置のデータが比較され、対応するデータ・エレメントが選択される請求項１乃至５のいずれか１項に記載の方法。
【請求項７】
網膜走査表示装置によって前記ユーザに対してピクチャ・データが表示され、かつ／または視標追跡システムによって前記ユーザの前記視野方向が決定される請求項２乃至６のいずれか１項に記載の方法。
【請求項８】
ピクチャ・データの表示と前記ユーザの前記視野方向の認識を対話型のＭＥＭＳＲＳＤ（６３）によって実行できる請求項２乃至７のいずれか１項に記載の方法。
【請求項９】
定義可能な非アクティブ化の基準に基づいて前記加速度センサ（３１）はエネルギーを節約するアイドル・モードに入り、前記表示されたピクチャ・データ（５３）の定義可能なアクティブ化のピクチャ・エレメント（５１）に対して前記ユーザが前記視野方向を選択することによって、前記加速度センサは前記エネルギーを節約するアイドル・モードから復帰する請求項２乃至８のいずれか１項に記載の方法。
【請求項１０】
前記加速度センサ（３１）には、エネルギー貯蔵によって、かつ／または太陽発電機によって、かつ／または自動運動ジェネレータによって、かつ／または燃料電池システムによって電子エネルギーが供給される請求項１乃至９のいずれか１項に記載の方法。
【請求項１１】
データ・エレメントは装置識別子を伴って前記参照テーブルに格納される請求項１乃至１０のいずれか１項に記載の方法。
【請求項１２】
選択されたデータ・エレメントを端末（１０）に送信するための身体制御によるシステムであって、
参照値および割り当てられたデータ・エレメントを格納する参照テーブルを備えており、
前記ユーザの身体の動きに応じて変化し得る加速度の値および／または振動の値をキャプチャするための前記ユーザの身体の部分に取付け可能な加速度センサ（３１）を備えており、
加速度の値および／または振動の値を参照値と比較する比較モジュールを備えており、前記比較モジュールによって参照値に割り当てられたデータ・エレメントが選択され、
前記選択されたデータ・エレメントを端末（１０）に送信するための送信モジュールを備えるシステム。
【請求項１３】
ピクチャの参照値は前記参照テーブルに格納でき、少なくとも１つの参照値と対応するデータ・エレメントはピクチャの参照値に割り当てることができ、
前記システムは前記ユーザに対してピクチャ・データを表示する表示装置と、前記ユーザの視野方向を認識し、前記ユーザの前記視野方向に対応するピクチャ・データ・カットアウトを決定するための視野方向認識モジュールを備えており、
前記比較モジュールはピクチャ・データ・カットアウトとピクチャの参照値とを比較し、この比較に基づいてデータ・エレメントを選択するための手段を備える請求項１２に記載のシステム。
【請求項１４】
参照値および割り当てられたデータ・エレメントのシーケンスは前記参照テーブルに格納でき、前記システムは加速度の値および／または振動の値のシーケンスをキャプチャし、処理するシーケンス・モジュールを備えており、前記比較モジュールは加速度の値および／または振動の値のシーケンスと参照値のシーケンスとを比較し、さらに参照値のシーケンスに割り当てられたデータ・エレメントを選択するための手段を備える請求項１２乃至１３のいずれか１項に記載のシステム。
【請求項１５】
データ・エレメントを前記端末に送信したことを前記ユーザに信号で通知するための信号装置を備える請求項１２乃至１４のいずれか１項に記載のシステム。
【請求項１６】
身体の動きのポイントが達成されたことを前記ユーザに信号で通知するためのフィードバック装置を備える請求項１２乃至１５のいずれか１項に記載のシステム。
【請求項１７】
位置の参照値および割り当てられたデータ・エレメントは前記参照テーブルに格納でき、前記ユーザの身体の位置のデータは位置モジュールによってキャプチャでき、位置の参照値と身体の位置のデータは前記比較モジュールによって比較でき、対応するデータ・エレメントは選択可能である請求項１２乃至１６のいずれか１項に記載のシステム。
【請求項１８】
ピクチャ・データを表示するための網膜走査表示装置および／または前記ユーザの前記視野方向を認識するための視標追跡システムを備える請求項１３乃至１７のいずれか１項に記載のシステム。
【請求項１９】
ピクチャ・データを表示し、前記ユーザの前記視野方向を認識するためのＭＥＭＳＲＳＤ  （６３）を備える請求項１３乃至１８のいずれか１項に記載のシステム。
【請求項２０】
定義可能な非アクティブ化の基準に基づいて前記加速度センサ（３１）がエネルギーを節約するアイドル・モードに入り、前記ユーザに表示される前記ピクチャ・データの定義可能なアクティブ化のピクチャ・エレメントに対して前記ユーザが前記視野方向を選択することによって、前記加速度センサが前記エネルギーを節約するアイドル・モードから復帰するための手段を備える請求項１３乃至１９のいずれか１項に記載のシステム。
【請求項２１】
前記電子エネルギーを供給するシステムは、エネルギー貯蔵、および／または太陽発電機、および／または自動加速度ジェネレータ、および／または燃料電池システムを備える請求項１２乃至２０のいずれか１項に記載のシステム。
【請求項２２】
装置識別子は前記データ・エレメントに伴って前記参照テーブルに格納できる請求項１２乃至２１のいずれか１項に記載のシステム。
【請求項２３】
選択されたデータ・エレメントを端末（１０）に送信するための身体制御による装置であって、
参照値および割り当てられたデータ・エレメントを格納する参照テーブルを備えており、
前記ユーザの身体の部分に取付け可能であり、前記ユーザの身体の動きに応じて変化し得る加速度の値および／または振動の値は前記装置の加速度センサ（３１）によってキャプチャでき、
加速度の値および／または振動の値を参照値と比較する比較モジュールを備えており、参照値に割り当てられたデータ・エレメントは前記比較モジュールによって選択でき、
前記選択されたデータ・エレメントを端末（１０）に送信するための送信モジュールを備える装置。
【請求項２４】
ピクチャの参照値は前記参照テーブルに格納でき、少なくとも１つの参照値および対応するデータ・エレメントはピクチャの参照値に割り当てることができ、
前記ユーザの前記視野方向に対応するピクチャ・データ・カットアウトは前記装置に送信可能であり、さらに
前記比較モジュールはピクチャ・データ・カットアウトをピクチャの参照値と比較し、この比較に基づいてデータ・エレメントを選択するための手段を備える請求項２３に記載の装置。
【請求項２５】
参照値および割り当てられたデータ・エレメントのシーケンスは前記参照テーブルに格納でき、前記装置は加速度の値および／または振動の値のシーケンスをキャプチャし、処理するシーケンス・モジュールを備えており、前記比較モジュールは加速度の値および／または振動の値のシーケンスを参照値のシーケンスと比較し、参照値のシーケンスに割り当てられたデータ・エレメントを選択するための手段を備える請求項２３乃至２４のいずれか１項に記載の装置。
【請求項２６】
データ・エレメントを前記端末に送信したことを前記ユーザに信号で通知するための信号装置を備える請求項２３乃至２５のいずれか１項に記載の装置。
【請求項２７】
身体の動きのポイントが達成されたことを前記ユーザに信号で通知するためのフィードバック装置を備える請求項２３乃至２６のいずれか１項に記載の装置。
【請求項２８】
位置の参照値と割り当てられたデータ・エレメントは前記参照テーブルに格納でき、前記ユーザの身体の位置のデータは位置モジュールによってキャプチャでき、前記比較モジュールによって位置の参照値と身体の位置のデータを比較でき、対応するデータ・エレメントを選択できる請求項２３乃至２７のいずれか１項に記載の装置。
【請求項２９】
定義可能な非アクティブ化の基準に基づいて前記加速度センサ（３１）がエネルギーを節約するアイドル・モードに入り、定義可能な制御基準に基づいて前記加速度センサが前記エネルギーを節約するアイドル・モードから復帰するための手段を備える請求項２３乃至２８のいずれか１項に記載の装置。
【請求項３０】
電子エネルギーを供給する装置は、エネルギー貯蔵、および／または太陽発電機、および／または自動加速度ジェネレータ、および／または燃料電池システムを備える請求項２３乃至２９のいずれか１項に記載の装置。
【請求項３１】
装置識別子は前記データ・エレメントに伴って前記参照テーブルに格納できる請求項２３乃至３０のいずれか１項に記載の装置。
【発明の詳細な説明】
【技術分野】
【０００１】
本発明は、選択されたデータ・エレメントを身体制御によって端末に送信する方法、システム、および装置に関する。
【背景技術】
【０００２】
最先端技術では、毎日使用する電子装置の端末、たとえば、ポータブル・コンピュータ、電子ノートブック（ｅｌｅｃｔｒｏｎｉｃ  ｎｏｔｅｂｏｏｋ）（ポケットＰＣ、ハンドヘルド、パームトップ）、携帯電話などはますます小型化している。そのために、このような端末のユーザにとって端末の操作はますます難しくなっている。特に、このような端末にはデータ・エレメントを入力するときに困難を伴う。スタイラスによるデータ・エレメントの入力が知られている。この目的のために、たとえば端末にキーボードが表示され、ユーザはスタイラスでデータ・エレメントを選択する。このような入力方法では、ユーザは完全にデータ・エレメントの入力に集中しなければならないので、たとえば同時に会話を続けるのは困難である。こうしたデータの入力では、ノートにメモするのに比べてはるかに長い時間がかかることが少なくない。端末上の専用書き込み領域を使用して、この書き込み領域に記号を書き込むことによってデータ・エレメントを端末に入力する方法も当業者には知られている。このようなデータ・エレメントの入力では、ユーザがデータ・エレメントを入力するのに、習慣的な記号表記法を使用しても学習しやすい記号表記法を使用してもよい。この結果、端末で文字認識が実行されるので、ユーザは入力した記号が端末にも正しく認識されたがどうかを常に確認する必要がある。この場合も、ユーザはデータ・エレメントの入力に非常に集中する必要があり、この期間は自らの周囲の重要な情報を吸収できない。端末のキーボードを使用してデータ・エレメントを入力することもできる。キーボードが大きすぎないように、小型になった端末にすべてを配置できるように、キーボードのキーは重複して使用される。このように、１度キーを押すと“ａ”が入力され、同じキーを２度押すと“ｂ”という文字が入力され、同じキーを３度押すと“ｃ”という文字が入力され、同じキーを４度押すと数字の“１”が入力される。このようなキーの重複利用では、非常に短いコマンドの入力またはメモのみが可能なことは明らかである。データ・エレメントを端末に入力するための最先端技術による入力方法は、非常に複雑なことが多い。端末にデータ・エレメントを入力するには、多くの場合に両手が必要である。熟練者のみがなんとか片手で端末を見ずに操作するが、無線電話の短縮ダイヤルやノートブック・装置上の警告の表示終了のように比較的単純なコマンドに限定される。最先端技術では、データ・エレメントの端末への入力は、たとえば常にキーボードやマウスなどの装置を使用して行われる。したがって、最先端技術において、端末のハンズフリー操作すなわち入力装置を使用しない操作は不可能である。
【発明の開示】
【発明が解決しようとする課題】
【０００３】
本発明の目的は、選択可能なデータ・エレメントを身体制御によって端末に送信するための、最先端技術の不利益を伴わない新しい方法、新しいシステム、および新しい装置を提案することである。
【課題を解決するための手段】
【０００４】
このような目的は、本発明により、特に独立請求項の要素によって達成される。従属請求項と「発明の実施の形態」に従って、さらに有利な実施形態が得られる。
【０００５】
参照テーブルには参照値および割り当てられたデータ・エレメントが格納され、ユーザの身体の部分に取付け可能な少なくとも１つの加速度センサによってユーザの身体の動きに応じて変化し得る加速度の値および／または振動の値がキャプチャされ、比較モジュールによって加速度の値および／または振動の値が参照値と比較され、参照値に割り当てられた少なくとも１つのデータ・エレメントが選択され、さらに送信モジュールによって少なくとも１つの選択されたデータ・エレメントが端末に送信される本発明により、このような目的が達成される。少なくとも１つの加速度センサは、ユーザの身体の任意の部分に任意の方法で取り付けることができる。このように、加速度センサは、たとえば、腕時計、指輪、衣類や手袋に取り付けることができる。たとえばユーザの指など、身体の適切な部分に加速度センサを取り付けることも想定できる。こうした方法には、ユーザが単純で便利なわかりやすい方法でデータ・エレメントを端末に送信できるという利点がある。このようにデータ・エレメントを端末に送信することにより、ユーザは非常に簡単に端末を制御できる。特に、第三者にわからないようにこのような送信を実行することができる。たとえば、親指と人差し指を短くたたくかまたは合わせる動作によってクリック機能をトリガすることができる。こうしたクリック機能により、たとえばプロジェクタを使用してプレゼンテーションをするときに、次のオーバーヘッド・シートまたはスライドへの移行をトリガしてもよい。
【０００６】
１つの実施形態の変形では、ピクチャの参照値が参照テーブルに格納され、少なくとも１つの参照値および対応するデータ・エレメントがピクチャの参照値に割り当てられ、表示装置によってユーザに対してピクチャ・データが表示され、視野方向モジュールによって決定されたユーザの視野方向に対応するピクチャ・データのピクチャ・データ・カットアウトが表示され、さらに比較モジュールによってピクチャ・データ・カットアウトがピクチャの参照値と比較され、この比較に基づいてデータ・エレメントが選択される。こうした実施形態の変形では、特にコンピュータを直感的かつ簡単に制御できる。このように、たとえば、ピクチャ・データをコンピュータ表示装置のデスクトップに関連付けることができた。これで、ユーザは、たとえば視野方向によってマウス・ポインタを制御でき、たとえば親指でキーボードの端を軽くたたく動作によってマウス・クリックをトリガできる。
【０００７】
１つの実施形態の変形では、参照値と割り当てられたデータ・エレメントのシーケンスが参照テーブルに格納され、キャプチャされた加速度の値および／または振動の値がシーケンス・モジュールによって加速度の値および／または振動の値のシーケンスとして処理され、さらに比較モジュールによって加速度の値および／または振動の値のシーケンスが参照テーブルの参照値のシーケンスと比較され、参照値のシーケンスに割り当てられた少なくとも１つのデータ・エレメントが選択される。このような実施形態の変形には、たとえば手を回転させて直後に手を閉じるといった、より複雑な身体の動きをデータ・エレメントに割り当てることができるという利点がある。
【０００８】
別の実施形態の変形では、データ・エレメントが端末に送信されたことが、信号装置によってユーザに信号で通知される。このような実施形態には、特にデータ・エレメントが端末に送信されると直ちにユーザに通知されるという利点がある。これは、たとえば、腕時計に取り付けた振動器によって、あるいは表示装置に対応するアイコンが表示されたことによって実行される。
【０００９】
別の実施形態の変形では、身体の動きのポイントの達成がフィードバック装置によってユーザに信号で送信される。たとえば、フィードバック装置は、腕時計に取り付けた振動器などの機械的な手段を備えており、ユーザが定義可能な身体の動き（たとえば手を９０°回転）を実行すると直ちに、こうした手段によってマウス・クリックに類似の短い振動を発生する。こうした方法には、特に身体の動きの実行に関する情報をユーザが常に把握できるという利点がある。
【００１０】
さらに別の実施形態の変形では、位置の参照値と割り当てられたデータ・エレメントが参照テーブルに格納され、位置モジュールによってユーザの身体の位置のデータがキャプチャされ、さらに比較モジュールによって位置の参照値と身体の位置のデータが比較されて対応するデータ・エレメントが選択される。このような方法には、たとえば、特に座っているときは立ったり歩いたりしているときと異なるデータ・エレメントを選択できるという利点がある。このように、たとえば、座っているときの手の９０°回転は、移動無線電話のコールの固定のネット電話への配信に関連し、一方、立ったり歩いたりしているときの同じ身体の動きは移動無線電話を使用したコールの受信に関連する。
【００１１】
別の実施形態の変形では、網膜走査表示装置によってユーザに対してピクチャ・データが表示され、かつ／または視標追跡システムによってユーザの視野方向が決定される。こうした実施形態の変形には、特に視標追跡システムと網膜走査表示装置によって、ユーザがどのデータ・エレメントを注視しているかが決定され、たとえば、親指と人差し指を合わせるかまたは軽くたたくことによってこのデータ・エレメントが選択され、端末に送信されるといった方法で、端末のハンドフリー操作が可能になるという利点がある。このような実施形態の変形には、さらに市販のコンポーネントを使用して本発明による方法を実施できるという利点もある。
【００１２】
別の実施形態の変形では、ピクチャ・データの表示とユーザの視野方向のキャプチャが対話型のＭＥＭＳＲＳＤによって実行される。このような実施形態の変形には、特に極度に小型化されたコンポーネントを使用できるので、たとえばユーザのめがねなどに容易に取り付けることができるという利点がある。
【００１３】
別の実施形態の変形では、定義可能な非アクティブ化の基準に基づいて加速度センサがエネルギーを節約するアイドル・モードに入り、表示されるピクチャ・データの定義可能なアクティブ化のピクチャ・エレメントに対してユーザの視野方向を選択することによって、加速度センサがエネルギーを節約するアイドル・モードから復帰する。こうした実施形態の変形には、特に最適なエネルギー消費を実現できるという利点がある。非アクティブ化の基準は、たとえば、ユーザが定義可能な期間にわたって本発明による方法を実行しなかったことで構成されてもよい。その後で、エネルギーを節約するアイドル・モードに入る。さらに、非アクティブ化の基準は、特にユーザに固有の方法で、ユーザが適応できる方法で、かつ／または定義可能な手順のメカニズムに従って指定することもできる。
【００１４】
別の実施形態の変形では、加速度センサには、エネルギー貯蔵によって、かつ／または太陽発電機によって、かつ／または自動運動ジェネレータによって、かつ／または燃料電池システムによって電子エネルギーが供給される。こうした実施形態の変形には、特に市販のシステムを使用してエネルギーを供給できるという利点がある。こうした実施形態の変形には、エネルギー供給システムを選択することによって、非常に高い稼働率（たとえば数年以上）、非常に小型化されたデザイン、あるいは非常に経済的な製造が促進されるという利点がある。
【００１５】
さらに別の実施形態の変形では、データ・エレメントが装置識別子を伴って参照テーブルに格納される。こうした実施形態の変形には、たとえば、堅い表面を人差し指で軽くたたくと、プロジェクタのスイッチが入り、中指で軽くたたくと部屋の証明が消えるという利点がある。親指と人差し指でパチンと鳴らすと「次のフィルムに進む」、親指と中指でパチンと鳴らすと「１つ前のフィルムに戻る」、親指と人差し指で２度パチンと鳴らすと「最初のフィルムに戻る」などの機能が実行されるといったさらに別のパターンが可能である。さらに、指をこすったり指を折ったりする動作も同様に装置に登録でき、対応するデータ・エレメントを選択して端末に送信することができる。これによって、データ・エレメントを端末に送信するための非常に複雑な身体の言語を開発できる。
本発明の実施形態の変形について、実施例に関連付けながら以下で説明する。実施形態の例は、添付の図面によって説明される。
【発明を実施するための最良の形態】
【００１６】
図１において、参照番号３１は加速度センサを表している。図１に示すように、加速度センサ３１は、たとえば腕時計３０に取り付けてもよい。加速度センサは、最先端技術において知られており、たとえばＶＴＩ  Ｔｅｃｈｎｏｌｏｇｉｅｓ社（ｗｗｗ．ｖｔｉ．ｆｉ）で製造され、販売されている。加速度センサ３１は、最先端技術において加速度メーターとも呼ばれる。加速度センサ３１は、高度に統合された方法で製造できるので、それ自体を腕時計３０に付加された装置として容易に取り付けることができる。加速度センサ３１は、１次元、２次元、あるいは３次元の加速度の値および／または振動の値の両方を記録できる。加速度センサは、３次元だけでなく、６次元の測定値を処理できるように設計することもできる。したがって、３次元の力と３次元のトルクを同時に記録できる。本明細書で使用する加速度という用語は、どちらかと言えば確定的な量を表しており、たとえば身体の部分の定義可能な回転（たとえば手首の回転や前腕の湾曲など）で測定される。本明細書で使用する振動という用語は、どちらかと言えば偶発的な量を表しており、たとえば人差し指と親指をすばやく合わせるとき、または堅い表面を指ですばやくたたくときに発生する手の部分の振動で測定される。最先端技術において、運動センサはｇの１０００分の１の桁からｇの数千倍に至るまでの値を記録できることが知られている（ｇは地球上の重力加速度、すなわち約９．８１ｍ／ｓ２を表す）。これより小さな加速度の値を記録する場合は、特に物体の位置を正確に記録でき、長時間にわたって追跡できる。これより大きな加速度の値を記録する場合は、特に動きの激しい動作を検知できる。図１に示す腕時計は、加速度センサ３１が組み込まれており、加速度センサ３１でキャプチャされた加速度の値および／または振動の値をさらに処理するのに必要な手段を備えている。図１に示すように、腕時計３０とそれに組み込まれた加速度センサ３１は、ユーザの手２０の手首に取り付けられる。腕時計３０は、無線通信インターフェイス４０を備えることができる。図１に示すように、指２１の動きに合わせて、ユーザは加速度の急激な変動および／または振動の急激な変動２２をトリガ（引き起こすことが）でき、これがたとえばユーザの手の骨と手２０の組織を経由して腕時計３０に送信され、加速度の値および／または振動の値として加速度センサ３１でキャプチャできる。
【００１７】
図１において、参照番号１０は端末を表している。端末１０は、パームトップ・コンピュータ、ラップトップ・コンピュータ、移動無線電話、テレビジョン・セット、ビデオ・プロジェクタ、現金自動預け払い機、プレイ・ステーション、あるいは他の任意の端末のいずれでもよい。本明細書に記載する端末は、たとえばキーボード、調節つまみ、またはスイッチなどの入力装置を使用してユーザが操作できる装備を意味する。図１において、端末１０は移動無線電話として示されている。端末１０は、表示装置１１、入力装置１２、無線通信インターフェイス１３、および／またはＩＤカード１４を備えることができる。
【００１８】
図１において、参照番号６０は、ピクチャ・データを表示し、ユーザの視野方向を認識するための通信眼鏡を表している。通信眼鏡６０は、ユーザに対してピクチャ・データを表示し、視野方向認識モジュールを使用してユーザの視野方向を認識するための表示装置を備えている。表示装置と視野方向認識モジュールは、図１に示すように、対話型のＭＥＭＳＲＳＤ  ６３（ＭＥＭＳＲＳＤ：Ｍｉｃｒｏ−Ｅｌｅｃｔｒｏ−Ｍｅｃｈａｎｉｃａｌ  Ｓｙｓｔｅｍｓ  Ｒｅｔｉｎａｌ  Ｓｃａｎｎｉｎｇ  Ｄｉｓｐｌａｙ）として実装できる。対話型のＭＥＭＳＲＳＤ  ６３により、光ビーム８０を介してピクチャ・データをユーザの目７０の網膜に直接投影でき、ユーザが焦点を合わせるピクチャの座標または個々のユーザの視野方向がキャプチャされる。通信眼鏡６０は、無線通信インターフェイス６２、制御電子回路６１、およびエネルギー供給源６４を備えることができる。通信眼鏡６０の表示装置または個々の対話型ＭＥＭＳＲＳＤ  ６３により、たとえば、ピクチャ・データはユーザが図１に示す仮想のピクチャ５０が見えることを印象付けるような方法でユーザに対して表示できる。ユーザが仮想ピクチャ５０のどのピクチャ・データを見ているかは、通信眼鏡６０の視野方向認識モジュールによって、または個々の対話型ＭＥＭＳＲＳＤ  ６３によって認識できる。このように、たとえば、キーボード５２、構成ポイント５１、またはメニュー５４が通信眼鏡６０の表示装置によってユーザの網膜のカットアウト５３に表示され、これにより、通信眼鏡６０の視野方向認識モジュールによって、ユーザが仮想ピクチャ５０に表示されるどのエレメントを現在見ているかを記録できる。
【００１９】
データ接続４１、４２は、前述の無線通信インターフェイスを使用して設定できる。無線通信インターフェイスは、たとえば、Ｂｌｕｅｔｏｏｔｈインターフェイス、ＷＬＡＮインターフェイス、ＺｉｇＢｅｅインターフェイス、またはその他の任意の無線通信インターフェイス、特にＮＦＣインターフェイス（ＮＦＣ：ｎｅａｒ  ｆｉｅｌｄ  ｃｏｍｍｕｎｉｃａｔｉｏｎ）として実装できる。エネルギー消費を最小限に抑えるために、特定の無線通信インターフェイスは単方向通信インターフェイスとして設計してもよい。データ接続４１、４２を経由して、キャプチャされた加速度の値および／または振動の値、ピクチャ・データ、データ・エレメント、ユーザの視野方向に関するデータ、税金のデータ、またはその他の任意のデータを、前述の装備とコンポーネントの間で送信できる。図１に簡略化して示すデータ接続４１、４２だけでなく、たとえば腕時計３０の無線通信インターフェイスと通信眼鏡の無線通信インターフェイスとの間のデータ接続ももちろん想定できる。
【００２０】
前述の装備とコンポーネント、すなわちたとえば腕時計３０、端末１０、あるいは通信眼鏡６０などは、データとソフトウェア・モジュールを格納する手段と、ソフトウェア・モジュールを実行する手段（すなわち特に、適切なデータおよびソフトウェア・メモリを備えるマイクロプロセッサ）とを備えることができる。これによって、データ接続４１、４２および適切な通信プロトコルによって分散型システムを使用して以下で説明する機能およびシーケンスを実行できるように、ソフトウェア・モジュールを構成することができる。もちろん、ソフトウェア・モジュールは最新の開発環境とソフトウェア言語を使用して比較的短期間で開発でき、使用可能になる。
【００２１】
身体制御によってデータ・エレメントを端末１０に送信するために、第１の参照値と割り当てられたデータ・エレメントが参照テーブルに格納される。参照テーブルは、前述の装備およびコンポーネントの任意のメモリ領域（たとえば、腕時計３０のメモリ領域）に組み込まれる。参照値と割り当てられたデータ・エレメントを格納するために、たとえば、腕時計３０はデータ・エレメントを連続的に表示するため、かつデータ・エレメントを表示する間に記録できる加速度の値および／または振動の値をキャプチャするためのソフトウェア・モジュールと表示装置を備えている。このように、たとえば、ユーザがデータ・エレメント“Ｊ”（肯定の判断を表す）を選択するために必要な身体の動き（たとえば、人差し指でテーブルなどの堅い表面を軽くたたく）を実行すると、トレーニング・フェーズの間にユーザに対してデータ・エレメント“Ｊ”が表示されてもよい。たとえば、こうしてキャプチャされた加速度の値および／または振動の値から、適切なソフトウェア・モジュールによって固有の特徴（たとえば、平均加速度や最大加速度）がキャプチャされ、参照値として参照テーブルに格納され、データ・エレメント“ｊ”がこのような参照値に割り当てられる。任意の望ましい参照値と割り当てられたデータ・エレメントを、本方法を使用して参照テーブルに格納できる。もちろん、たとえば、信号を処理する適切な方法（たとえば、最尤検定、マルコフ（Ｍａｒｋｏｖ）モデル、人工神経ネットワーク、信号を処理する他の任意の方法）を使用して加速度の値および／または振動の値を処理できることは、当業者には言うまでもない。さらに、参照値を格納するときに、通信眼鏡６０を使用してユーザに対して表示され、ユーザの視野方向に従って表示されるピクチャ・データのピクチャの参照値を同時に格納することもできる。
【００２２】
続いて、腕時計３０は参照値、データ・エレメント、および場合によってはピクチャの参照値も格納した参照テーブルを備えている。ユーザは、スライド・プレゼンテーション中のピクチャの切り替え、移動無線電話からの着呼の受信、他の任意の端末機能を、たとえば人差し指で堅い表面を軽くたたく動作によってトリガできる。軽くたたく動作によって記録された加速度の値および／または振動の値は、次に加速度センサによってキャプチャされ、さらに適切な手段（たとえば、加速度センサと、高機能マイクロプロセッサを搭載し、たとえばソフトウェア・モジュールとして実装された比較モジュールを格納した端末との間のデータ接続など）を使用して比較モジュールに送信される。ここで、比較モジュールは参照テーブルの参照値にアクセスし、こうした参照値とキャプチャされた加速度の値および／または振動の値とを比較する。もちろん、この比較は情報技術および信号処理のさまざまな方法（たとえば、最尤検定、マルコフ・モデル、または人工神経ネットワーク）に基づいて実行できる。こうした参照値とキャプチャされた加速度の値および／または振動の値とが比較モジュールによって十分に一致するとして分類された直後に、参照値に割り当てられたデータ・エレメントを、たとえばソフトウェア・モジュールとして実装された送信モジュールによって端末に送信できる。データ・エレメントは、たとえばＡＳＣＩＩ標準による記号、端末制御標準によるコードで記述された制御コマンド、または他の任意のデータ・エレメントを備えている。通信眼鏡とともに、さらに、ユーザに対して表示されたピクチャ・データから、ユーザが参照し、選択して実行するメニュー項目を、たとえば人差し指で軽くたたく動作によって選択し、実行することもできる。
【００２３】
もちろん、メニュー項目は、たとえばアドレス・ブックを参照するといった端末１０を制御する機能や、端末１０を制御する他の任意の機能に関連付けることができる。
【００２４】
たとえば、親指と人差し指を合わせたりたたいたりする動作によって、手と手首の急激な機械的変動がトリガされる。この急激な変動は身体の動きにおいて特徴的であり、腕時計（すなわちたとえば腕時計の筐体の内部）に組み込まれた加速度センサによってこの急激な機械的変動をキャプチャできる。急激な機械的変動の送信は、手と手首の組織と骨の両方によって、またはその他の身体の各部分によって行われる。キャプチャされた加速度の値および／または振動の値を適切に処理することによって特徴的な機能が決定され、身体制御による方法でデータ・エレメントを選択でき、端末に送信できるようにする。身体の動きによる急激な機械的変動は、それぞれ身体の動きにおいて固有の特徴がある場合に発生するので、非常にさまざまなデータ・エレメントについて、身体制御によってデータ・エレメントを選択し、これを端末に送信することができる。
【図面の簡単な説明】
【００２５】
【図１】身体制御によってデータ・エレメントを端末に送信するための本発明によるシステムの個々のコンポーネントを示すブロック図である。
【図１】
2008501169.tif 000003
【手続補正書】
【提出日】平成19年2月6日(2007.2.6)
【手続補正１】
【補正対象書類名】特許請求の範囲
【補正対象項目名】全文
【補正方法】変更
【補正の内容】
【特許請求の範囲】
【請求項１】
選択されたデータ・エレメントを端末（１０）に送信するための身体制御による方法であって、参照値および割り当てられたデータ・エレメントが参照テーブルに格納され、
ユーザの身体の部分に取付け可能な少なくとも１つの加速度センサ（３１）によって前記ユーザの身体の動きに応じて変化し得る加速度の値および／または振動の値がキャプチャされ、
比較モジュールによって加速度の値および／または振動の値が参照値と比較され、参照値に割り当てられた少なくとも１つのデータ・エレメントが選択され、さらに
送信モジュールによって前記選択された少なくとも１つのデータ・エレメントが前記端末（１０）に送信される方法。
【請求項２】
ピクチャの参照値が前記参照テーブルに格納され、少なくとも１つの参照値および対応するデータ・エレメントがピクチャの参照値に割り当てられ、
表示装置によって前記ユーザに対してピクチャ・データが表示され、視野方向モジュールによって決定される前記ユーザの前記視野方向に対応する前記表示されたピクチャ・データからピクチャ・データ・カットアウトが表示され、さらに
前記比較モジュールによって前記ピクチャ・データ・カットアウトがピクチャの参照値と比較され、この比較に基づいてデータ・エレメントが選択される請求項１に記載の方法。
【請求項３】
参照値および割り当てられたデータ・エレメントのシーケンスは前記参照テーブルに格納され、シーケンス・モジュールによってキャプチャされた加速度の値および／または振動の値は加速度の値および／または振動の値のシーケンスとして処理され、さらに前記比較モジュールによって加速度の値および／または振動の値のシーケンスは前記参照テーブルに格納された参照値のシーケンスと比較され、参照値のシーケンスに割り当てられた少なくとも１つのデータ・エレメントが選択される請求項１乃至２のいずれか１項に記載の方法。
【請求項４】
データ・エレメントの前記端末への送信は、信号装置によって前記ユーザに信号で通知される請求項１乃至３のいずれか１項に記載の方法。
【請求項５】
身体の動きのポイント達成は、フィードバック装置によって前記ユーザに信号で通知される請求項１乃至４のいずれか１項に記載の方法。
【請求項６】
位置の参照値および割り当てられたデータ・エレメントが前記参照テーブルに格納され、位置モジュールによって前記ユーザの身体の位置のデータがキャプチャされ、さらに前記比較モジュールによって位置の参照値と身体の位置のデータが比較され、対応するデータ・エレメントが選択される請求項１乃至５のいずれか１項に記載の方法。
【請求項７】
網膜走査表示装置によって前記ユーザに対してピクチャ・データが表示され、かつ／または視標追跡システムによって前記ユーザの前記視野方向が決定される請求項２乃至６のいずれか１項に記載の方法。
【請求項８】
ピクチャ・データの表示と前記ユーザの前記視野方向の認識を対話型のＭＥＭＳＲＳＤ（６３）によって実行できる請求項２乃至７のいずれか１項に記載の方法。
【請求項９】
定義可能な非アクティブ化の基準に基づいて前記加速度センサ（３１）はエネルギーを節約するアイドル・モードに入り、前記表示されたピクチャ・データ（５３）の定義可能なアクティブ化のピクチャ・エレメント（５１）に対して前記ユーザが前記視野方向を選択することによって、前記加速度センサは前記エネルギーを節約するアイドル・モードから復帰する請求項２乃至８のいずれか１項に記載の方法。
【請求項１０】
前記加速度センサ（３１）には、エネルギー貯蔵によって、かつ／または太陽発電機によって、かつ／または自動運動ジェネレータによって、かつ／または燃料電池システムによって電子エネルギーが供給される請求項１乃至９のいずれか１項に記載の方法。
【請求項１１】
データ・エレメントは装置識別子を伴って前記参照テーブルに格納される請求項１乃至１０のいずれか１項に記載の方法。
【請求項１２】
選択されたデータ・エレメントを端末（１０）に送信するための身体制御によるシステムであって、参照値および割り当てられたデータ・エレメントを格納する参照テーブルを備えており、
前記ユーザの身体の動きに応じて変化し得る加速度の値および／または振動の値をキャプチャするための前記ユーザの身体の部分に取付け可能な加速度センサ（３１）を備えており、
加速度の値および／または振動の値を参照値と比較する比較モジュールを備えており、前記比較モジュールによって参照値に割り当てられたデータ・エレメントが選択され、
前記選択されたデータ・エレメントを端末（１０）に送信するための送信モジュールを備えるシステム。
【請求項１３】
ピクチャの参照値は前記参照テーブルに格納でき、少なくとも１つの参照値と対応するデータ・エレメントはピクチャの参照値に割り当てることができ、
前記システムは前記ユーザに対してピクチャ・データを表示する表示装置と、前記ユーザの視野方向を認識し、前記ユーザの前記視野方向に対応するピクチャ・データ・カットアウトを決定するための視野方向認識モジュールを備えており、
前記比較モジュールはピクチャ・データ・カットアウトとピクチャの参照値とを比較し、この比較に基づいてデータ・エレメントを選択するための手段を備える請求項１２に記載のシステム。
【請求項１４】
参照値および割り当てられたデータ・エレメントのシーケンスは前記参照テーブルに格納でき、前記システムは加速度の値および／または振動の値のシーケンスをキャプチャし、処理するシーケンス・モジュールを備えており、前記比較モジュールは加速度の値および／または振動の値のシーケンスと参照値のシーケンスとを比較し、さらに参照値のシーケンスに割り当てられたデータ・エレメントを選択するための手段を備える請求項１２乃至１３のいずれか１項に記載のシステム。
【請求項１５】
データ・エレメントを前記端末に送信したことを前記ユーザに信号で通知するための信号装置を備える請求項１２乃至１４のいずれか１項に記載のシステム。
【請求項１６】
身体の動きのポイントが達成されたことを前記ユーザに信号で通知するためのフィードバック装置を備える請求項１２乃至１５のいずれか１項に記載のシステム。
【請求項１７】
位置の参照値および割り当てられたデータ・エレメントは前記参照テーブルに格納でき、前記ユーザの身体の位置のデータは位置モジュールによってキャプチャでき、位置の参照値と身体の位置のデータは前記比較モジュールによって比較でき、対応するデータ・エレメントは選択可能である請求項１２乃至１６のいずれか１項に記載のシステム。
【請求項１８】
ピクチャ・データを表示するための網膜走査表示装置および／または前記ユーザの前記視野方向を認識するための視標追跡システムを備える請求項１３乃至１７のいずれか１項に記載のシステム。
【請求項１９】
ピクチャ・データを表示し、前記ユーザの前記視野方向を認識するためのＭＥＭＳＲＳＤ  （６３）を備える請求項１３乃至１８のいずれか１項に記載のシステム。
【請求項２０】
定義可能な非アクティブ化の基準に基づいて前記加速度センサ（３１）がエネルギーを節約するアイドル・モードに入り、前記ユーザに表示される前記ピクチャ・データの定義可能なアクティブ化のピクチャ・エレメントに対して前記ユーザが前記視野方向を選択することによって、前記加速度センサが前記エネルギーを節約するアイドル・モードから復帰するための手段を備える請求項１３乃至１９のいずれか１項に記載のシステム。
【請求項２１】
前記電子エネルギーを供給するシステムは、エネルギー貯蔵、および／または太陽発電機、および／または自動加速度ジェネレータ、および／または燃料電池システムを備える請求項１２乃至２０のいずれか１項に記載のシステム。
【請求項２２】
装置識別子は前記データ・エレメントに伴って前記参照テーブルに格納できる請求項１２乃至２１のいずれか１項に記載のシステム。
【請求項２３】
選択されたデータ・エレメントを端末（１０）に送信するための身体制御による装置であって、参照値および割り当てられたデータ・エレメントを格納する参照テーブルを備えており、
前記ユーザの身体の部分に取付け可能であり、前記ユーザの身体の動きに応じて変化し得る加速度の値および／または振動の値は前記装置の加速度センサ（３１）によってキャプチャでき、
加速度の値および／または振動の値を参照値と比較する比較モジュールを備えており、参照値に割り当てられたデータ・エレメントは前記比較モジュールによって選択でき、
前記選択されたデータ・エレメントを端末（１０）に送信するための送信モジュールを備える装置。
【請求項２４】
ピクチャの参照値は前記参照テーブルに格納でき、少なくとも１つの参照値および対応するデータ・エレメントはピクチャの参照値に割り当てることができ、
前記ユーザの前記視野方向に対応するピクチャ・データ・カットアウトは前記装置に送信可能であり、さらに
前記比較モジュールはピクチャ・データ・カットアウトをピクチャの参照値と比較し、この比較に基づいてデータ・エレメントを選択するための手段を備える請求項２３に記載の装置。
【請求項２５】
参照値および割り当てられたデータ・エレメントのシーケンスは前記参照テーブルに格納でき、前記装置は加速度の値および／または振動の値のシーケンスをキャプチャし、処理するシーケンス・モジュールを備えており、前記比較モジュールは加速度の値および／または振動の値のシーケンスを参照値のシーケンスと比較し、参照値のシーケンスに割り当てられたデータ・エレメントを選択するための手段を備える請求項２３乃至２４のいずれか１項に記載の装置。
【請求項２６】
データ・エレメントを前記端末に送信したことを前記ユーザに信号で通知するための信号装置を備える請求項２３乃至２５のいずれか１項に記載の装置。
【請求項２７】
身体の動きのポイントが達成されたことを前記ユーザに信号で通知するためのフィードバック装置を備える請求項２３乃至２６のいずれか１項に記載の装置。
【請求項２８】
位置の参照値と割り当てられたデータ・エレメントは前記参照テーブルに格納でき、前記ユーザの身体の位置のデータは位置モジュールによってキャプチャでき、前記比較モジュールによって位置の参照値と身体の位置のデータを比較でき、対応するデータ・エレメントを選択できる請求項２３乃至２７のいずれか１項に記載の装置。
【請求項２９】
定義可能な非アクティブ化の基準に基づいて前記加速度センサ（３１）がエネルギーを節約するアイドル・モードに入り、定義可能な制御基準に基づいて前記加速度センサが前記エネルギーを節約するアイドル・モードから復帰するための手段を備える請求項２３乃至２８のいずれか１項に記載の装置。
【請求項３０】
電子エネルギーを供給する装置は、エネルギー貯蔵、および／または太陽発電機、および／または自動加速度ジェネレータ、および／または燃料電池システムを備える請求項２３乃至２９のいずれか１項に記載の装置。
【請求項３１】
装置識別子は前記データ・エレメントに伴って前記参照テーブルに格納できる請求項２３乃至３０のいずれか１項に記載の装置。
【手続補正２】
【補正対象書類名】明細書
【補正対象項目名】０００２
【補正方法】変更
【補正の内容】
【０００２】
最先端技術では、毎日使用する電子装置の端末、たとえば、ポータブル・コンピュータ、電子ノートブック（ポケットＰＣ、ハンドヘルド、パームトップ）、携帯電話などはますます小型化している。そのために、このような端末のユーザにとって端末の操作はますます難しくなっている。特に、このような端末にはデータ・エレメントを入力するときに困難を伴う。スタイラスによるデータ・エレメントの入力が知られている。この目的のために、たとえば端末にキーボードが表示され、ユーザはスタイラスでデータ・エレメントを選択する。このような入力方法では、ユーザは完全にデータ・エレメントの入力に集中しなければならないので、たとえば同時に会話を続けるのは困難である。こうしたデータの入力では、ノートにメモするのに比べてはるかに長い時間がかかることが少なくない。端末上の専用書き込み領域を使用して、この書き込み領域に記号を書き込むことによってデータ・エレメントを端末に入力する方法も当業者には知られている。このようなデータ・エレメントの入力では、ユーザがデータ・エレメントを入力するのに、習慣的な記号表記法を使用しても学習しやすい記号表記法を使用してもよい。この結果、端末で文字認識が実行されるので、ユーザは入力した記号が端末にも正しく認識されたがどうかを常に確認する必要がある。この場合も、ユーザはデータ・エレメントの入力に非常に集中する必要があり、この期間は自らの周囲の重要な情報を吸収できない。端末のキーボードを使用してデータ・エレメントを入力することもできる。キーボードが大きすぎないように、小型になった端末にすべてを配置できるように、キーボードのキーは重複して使用される。このように、１度キーを押すと“ａ”が入力され、同じキーを２度押すと“ｂ”という文字が入力され、同じキーを３度押すと“ｃ”という文字が入力され、同じキーを４度押すと数字の“１”が入力される。このようなキーの重複利用では、非常に短いコマンドの入力またはメモのみが可能なことは明らかである。データ・エレメントを端末に入力するための最先端技術による入力方法は、非常に複雑なことが多い。端末にデータ・エレメントを入力するには、多くの場合に両手が必要である。熟練者のみがなんとか片手で端末を見ずに操作するが、無線電話の短縮ダイヤルやノートブック・装置上の警告の表示終了のように比較的単純なコマンドに限定される。最先端技術では、データ・エレメントの端末への入力は、たとえば常にキーボードやマウスなどの装置を使用して行われる。したがって、最先端技術において、端末のハンズフリー操作すなわち入力装置を使用しない操作は不可能である。
特許出願第ＥＰ  １  ４０８  ４４３号には、ユーザの身振りを認識する方法が説明されている。ＥＭＧ（ＥＭＧ：ｅｌｅｃｔｒｏｍｙｏｇｒａｍ、筋電図）信号は電極によってキャプチャされる。ＥＭＧ信号は、分析され、たとえば、人差し指で指す、手のひらを広げる、あるいは手首を回すなどの身振りに割り当てられる。コマンドを生成する装置によって、コマンドは身振りに割り当てられ、装置は割り当てられたコマンドに従って制御される。
【手続補正３】
【補正対象書類名】明細書
【補正対象項目名】０００３
【補正方法】変更
【補正の内容】
【０００３】
本発明の目的は、選択可能なデータ・エレメントを身体制御によって端末に送信するための、最先端技術の不利益を伴わない新しい方法、新しいシステム、および新しい装置を提案することである。
【手続補正４】
【補正対象書類名】明細書
【補正対象項目名】０００４
【補正方法】変更
【補正の内容】
【０００４】
このような目的は、本発明により、特に独立請求項の要素によって達成される。従属請求項と「発明の実施の形態」に従って、さらに有利な実施形態が得られる。
【手続補正５】
【補正対象書類名】明細書
【補正対象項目名】０００５
【補正方法】変更
【補正の内容】
【０００５】
参照テーブルには参照値および割り当てられたデータ・エレメントが格納され、ユーザの身体の部分に取付け可能な少なくとも１つの加速度センサによってユーザの身体の動きに応じて変化し得る加速度の値および／または振動の値がキャプチャされ、比較モジュールによって加速度の値および／または振動の値が参照値と比較され、参照値に割り当てられた少なくとも１つのデータ・エレメントが選択され、さらに送信モジュールによって少なくとも１つの選択されたデータ・エレメントが端末に送信される本発明により、このような目的が達成される。少なくとも１つの加速度センサは、ユーザの身体の任意の部分に任意の方法で取り付けることができる。このように、加速度センサは、たとえば、腕時計、指輪、衣類や手袋に取り付けることができる。たとえばユーザの指など、身体の適切な部分に加速度センサを取り付けることも想定できる。こうした方法には、ユーザが単純で便利なわかりやすい方法でデータ・エレメントを端末に送信できるという利点がある。このようにデータ・エレメントを端末に送信することにより、ユーザは非常に簡単に端末を制御できる。特に、第三者にわからないようにこのような送信を実行することができる。たとえば、親指と人差し指を短くたたくかまたは合わせる動作によってクリック機能をトリガすることができる。こうしたクリック機能により、たとえばプロジェクタを使用してプレゼンテーションをするときに、次のオーバーヘッド・シートまたはスライドへの移行をトリガしてもよい。
【国際調査報告】
2008501169.tif 000004
2008501169.tif 000005
2008501169.tif 000006
2008501169.tif 000007
2008501169.tif 000008
2008501169.tif 000009